(57)【要約】【課題】埋設型ガス栓に取り付けられる埋設型ガス栓用カバーにおいて、簡単且つ合理的な構成を採用することにより、ソケットが接続されていないプラグが容易に露出されないようにして、安全性を向上することができる技術を提供する。【解決手段】閉塞姿勢の扉部材３８の開放姿勢への開放揺動及び開放姿勢の扉部材３８の壁Ｗに向かう押込み方向への押込み移動を阻止するロック状態と開放揺動及び押込み移動を許容するロック解除状態との間で切替可能なロック機構部Ｘを備える。【選択図】図１
2014066312.tif 000002
【特許請求の範囲】
【請求項１】
ソケットが着脱自在に接続されるプラグと、前記プラグに前記ソケットが接続されたソケット接続状態を解除するために前記プラグの側方に位置するソケット取外し機構部とを備え、壁に形成された開口部に臨む状態で前記壁の裏面側に取り付けられる埋設型ガス栓に対して前記開口部を覆う状態で取り付けられ、
前記プラグに接続されるソケットが挿通される窓部が形成されたカバー本体と、
前記窓部を閉塞する閉塞姿勢と当該閉塞姿勢から回動して前記窓部を開放する開放姿勢との間で、回転可能に軸支された扉部材とを備えると共に、
前記扉部材が、前記開放姿勢において前記壁に向かう押込み方向に移動可能に支持され、
前記開放姿勢の扉部材が前記押込み方向へ移動することにより、前記プラグに設けられたソケット取外し機構部が押圧操作されて前記ソケット接続状態が解除される埋設型ガス栓用カバーであって、
前記閉塞姿勢の扉部材の前記開放姿勢への開放揺動及び前記開放姿勢の扉部材の前記壁に向かう押込み方向への押込み移動を阻止するロック状態と前記開放揺動及び前記押込み移動を許容するロック解除状態との間で切替可能なロック機構部を備えた埋設型ガス栓用カバー。
【請求項２】
前記ロック機構部が、
前記窓部に突出するロック姿勢と前記窓部から引退するロック解除姿勢との間で変移自在に支持されたロック爪と、前記ロック爪を前記ロック姿勢に向けて付勢する付勢部と、ロック解除操作により前記ロック爪を前記付勢部の付勢力に抗して前記ロック解除姿勢に変移させるロック解除操作部とを有してなり、前記ロック状態において前記ロック姿勢のロック爪の当接部を前記閉塞姿勢の扉部材及び前記開放姿勢の扉部材に当接させて、前記開放揺動及び前記押込み移動を阻止する請求項１に記載の埋設型ガス栓用カバー。
【請求項３】
前記開放揺動時に前記扉部材の基端側が前記カバー本体の裏側に引退するように当該扉部材が軸支されていると共に、前記扉部材の表面に段部が形成され、
前記ロック爪が、前記閉塞姿勢の扉部材の基端部側に対向する前記窓部の縁部に配置され、
前記ロック機構部が、前記ロック状態において、前記ロック姿勢のロック爪の当接部を前記閉塞姿勢の扉部材の基端部及び前記開放姿勢の扉部材の段部に当接させる形態で、前記開放揺動及び前記押込み移動を阻止する請求項２に記載の埋設型ガス栓用カバー。
【請求項４】
前記開放姿勢の扉部材の前記閉塞姿勢への閉塞揺動において、前記扉部材に押込まれて前記ロック爪を前記付勢部の付勢力に抗して前記ロック解除姿勢に変移させる解除案内部を前記ロック爪に形成した請求項２又は３に記載の埋設型ガス栓用カバー。
【請求項５】
ソケットが着脱自在に接続されるプラグと、前記プラグに前記ソケットが接続されたソケット接続状態を解除するために前記プラグの側方に位置するソケット取外し機構部とを備え、壁に形成された開口部に臨む状態で前記壁の裏面側に取り付けられる埋設型ガス栓であって、
請求項１〜４の何れか１項に記載の埋設型ガス栓用カバーを、前記開口部を覆う状態で取り付けてなる埋設型ガス栓。
【発明の詳細な説明】
【技術分野】
【０００１】
本発明は、壁に埋設される埋設型ガス栓及びその埋設型ガス栓に取り付けられる埋設型ガス栓用カバーに関する。
【背景技術】
【０００２】
従来の埋設型ガス栓は、例えば住宅などの壁に形成された開口部に臨む状態で前記壁の裏面側に取り付けられ、ガスホースの先端に設けられたソケットをその埋設型ガス栓のプラグに接続することにより、当該ガスホースを通じてガス機器にガスを供給するために使用される。
このような埋設型ガス栓は、壁に形成された開口部をそのままの状態にしておくのではなく、通常、化粧用の埋設型ガス栓用カバーが壁に形成された開口部を覆う状態で取り付けられ、この埋設型ガス栓用カバーは、プラグに接続されるソケットが挿通される窓部が形成されたカバー本体と、窓部を閉塞する閉塞姿勢と当該閉塞姿勢から回動して前記窓部を開放する開放姿勢との間で、回転可能に軸支された扉部材とを備える。
【０００３】
更に、従来の埋設型ガス栓は、プラグにソケットが接続されたソケット接続状態を解除するためにプラグの側方に位置するソケット取外し機構部を備えている。そして、このような埋設型ガス栓に取り付けられる埋設型ガス栓用カバーの扉部材は、開放姿勢において壁に向かう押込み方向に移動可能に支持され、開放姿勢の扉部材が前記押込み方向へ移動することにより、プラグに設けられたソケット取外し機構部が押圧操作されてプラグからソケットが取外されるように構成されている（例えば特許文献１を参照。）。
【先行技術文献】
【特許文献】
【０００４】
【特許文献１】特開２０１２−０５７６８７号公報
【発明の概要】
【発明が解決しようとする課題】
【０００５】
上記のような従来の埋設型ガス栓用カバーを取り付けた埋設型ガス栓では、プラグからソケットが取外された状態であっても、容易に、扉部材が開放姿勢となって、ソケットが接続されていないプラグが露出される状態になる。そして、このようにプラグが露出された状態となれば、子供などがいたずらや不用意にプラグに棒や指を入れる虞があり、そのことによるプラグの弁の誤操作によるガス漏洩や隙間への指詰めなどが懸念される。
【０００６】
そこで、本発明は、かかる点に着目してなされたものであり、その目的は、埋設型ガス栓に取り付けられる埋設型ガス栓用カバーにおいて、簡単且つ合理的な構成を採用することにより、ソケットが接続されていないプラグが容易に露出されないようにして、安全性を向上することができる技術を提供する点にある。
【課題を解決するための手段】
【０００７】
上記目的を達成するための本発明に係る埋設型ガス栓用カバーは、
ソケットが着脱自在に接続されるプラグと、前記プラグに前記ソケットが接続されたソケット接続状態を解除するために前記プラグの側方に位置するソケット取外し機構部とを備え、壁に形成された開口部に臨む状態で前記壁の裏面側に取り付けられる埋設型ガス栓に対して前記開口部を覆う状態で取り付けられ、
前記プラグに接続されるソケットが挿通される窓部が形成されたカバー本体と、
前記窓部を閉塞する閉塞姿勢と当該閉塞姿勢から回動して前記窓部を開放する開放姿勢との間で、回転可能に軸支された扉部材とを備えると共に、
前記扉部材が、前記開放姿勢において前記壁に向かう押込み方向に移動可能に支持され、
前記開放姿勢の扉部材が前記押込み方向へ移動することにより、前記プラグに設けられたソケット取外し機構部が押圧操作されて前記ソケット接続状態が解除される埋設型ガス栓用カバーであって、
その第１特徴構成は、
前記閉塞姿勢の扉部材の前記開放姿勢への開放揺動及び前記開放姿勢の扉部材の前記壁に向かう押込み方向への押込み移動を阻止するロック状態と前記開放揺動及び前記押込み移動を許容するロック解除状態との間で切替可能なロック機構部を備えた点にある。
【０００８】
上記第１特徴構成によれば、扉部材が閉塞姿勢であってプラグにソケットが接続されていない状態において、上記ロック機構部をロック状態とすることで、その閉塞姿勢の扉部材が開放姿勢へ開放揺動することを阻止することができるので、ソケットが接続されていないプラグが容易に露出されないようにすることができる。
更には、扉部材が開放姿勢であってプラグにソケットが接続されている状態においても、上記ロック機構部をロック状態とすることで、開放姿勢の扉部材が壁に向かう押込み方向へ押込み移動することを阻止して、ソケット取外し機構部によりプラグからソケットが取外されることを阻止することができるので、ソケットが取外されたプラグが容易に露出されないようにすることができる。
即ち、上記のように扉部材の開放揺動及び押込み移動の両方を阻止可能な上記ロック機構部を備えというような簡単且つ合理的な構成を採用することで、ソケットが接続されていないプラグが容易に露出されないようにして、子供などがいたずらや不用意にプラグに棒や指を入れるなどの機会をできるだけ排除し、これによるプラグの弁の誤操作によるガス漏洩や隙間への指詰めなどの発生を抑制して、安全性を向上することができる。
【０００９】
本発明に係る埋設型ガス栓用カバーの第２特徴構成は、上記第１特徴構成に加えて、
前記ロック機構部が、
前記窓部に突出するロック姿勢と前記窓部から引退するロック解除姿勢との間で変移自在に支持されたロック爪と、前記ロック爪を前記ロック姿勢に向けて付勢する付勢部と、ロック解除操作により前記ロック爪を前記付勢部の付勢力に抗して前記ロック解除姿勢に変移させるロック解除操作部とを有してなり、前記ロック状態において前記ロック姿勢のロック爪の当接部を前記閉塞姿勢の扉部材及び前記開放姿勢の扉部材に当接させて、前記開放揺動及び前記押込み移動を阻止する点にある。
【００１０】
上記第２特徴構成によれば、上記ロック解除操作部に対するロック解除操作を行わない場合には、自動的に、上記付勢部の付勢力により上記ロック爪を上記ロック姿勢に変移させることができるので、閉塞姿勢の扉部材及び開放姿勢の扉部材が当該ロック爪に当接して開放揺動及び押込み移動が阻止されるロック状態として、ソケットが接続されていないプラグが容易に露出されないようにすることができる。
一方、上記ロック解除操作部に対するロック解除操作を行う場合には、上記付勢部の付勢力に抗して上記ロック爪を上記ロック解除姿勢に変移させることができるので、扉部材の開放揺動及び押込み移動を許容するロック解除状態とすることができる。
即ち、このようなロック機構部の詳細構成により、ソケットが接続されていないプラグが容易に露出されないようにしつつ、比較的簡単なロック解除操作を行うことで、プラグに対するソケットの接続及びプラグからのソケットの取外しをスムーズに実行することができる。
【００１１】
本発明に係る埋設型ガス栓用カバーの第３特徴構成は、上記第２特徴構成に加えて、
前記開放揺動時に前記扉部材の基端側が前記カバー本体の裏側に引退するように当該扉部材が軸支されていると共に、前記扉部材の表面に段部が形成され、
前記ロック爪が、前記閉塞姿勢の扉部材の基端部側に対向する前記窓部の縁部に配置され、
前記ロック機構部が、前記ロック状態において、前記ロック姿勢のロック爪の当接部を前記閉塞姿勢の扉部材の基端部及び前記開放姿勢の扉部材の段部に当接させる形態で、前記開放揺動及び前記押込み移動を阻止する点にある。
【００１２】
上記第３特徴構成によれば、上記第２特徴構成のロック機構部を採用する場合において、一層簡単且つ合理的な構成を実現することができる。
即ち、開放揺動時に扉部材の基端部がカバー本体の裏側に引退するように扉部材が軸支されているので、閉塞姿勢の扉部材の基端部側に対向する窓部の縁部に配置されたロック爪を窓部に突出するロック姿勢とすることで、当該ロック爪を閉塞姿勢の扉部材の基端部に当接させて、閉塞姿勢の扉部材の開放揺動を阻止するロック状態とすることができる。
更には、扉部材の表面に段部が形成されているので、同窓部の縁部に配置されたロック爪を窓部に突出するロック姿勢とすることで、当該ロック爪を開放姿勢の扉部材の表面に形成された段部に当接させて、開放姿勢の扉部材の押込み移動を阻止するロック状態とすることができる。
【００１３】
本発明に係る埋設型ガス栓用カバーの第４特徴構成は、上記第２乃至第３特徴構成の何れかに加えて、
前記開放姿勢の扉部材の前記閉塞姿勢への閉塞揺動において、前記扉部材に押込まれて前記ロック爪を前記付勢部の付勢力に抗して前記ロック解除姿勢に変移させる解除案内部を前記ロック爪に形成した点にある。
【００１４】
上記第４特徴構成によれば、上記第２乃至第３特徴構成の何れかのロック機構部を採用する場合において、扉部材の上記閉塞揺動時においてロック爪が邪魔にならないようにすることができる。即ち、扉部材の閉塞揺動時において、扉部材がロック爪の解除案内部を押込むことで、当該ロック爪が自動的にロック解除姿勢に変移されるので、扉部材の閉塞揺動をスムーズに行うことができる。
【００１５】
上記目的を達成するための本発明に係る埋設型ガス栓は、
ソケットが着脱自在に接続されるプラグと、前記プラグに前記ソケットが接続されたソケット接続状態を解除するために前記プラグの側方に位置するソケット取外し機構部とを備え、壁に形成された開口部に臨む状態で前記壁の裏面側に取り付けられる埋設型ガス栓であって、
上記第１乃至第４特徴構成の何れかを有する埋設型ガス栓用カバーを備える。
【００１６】
即ち、本発明に係る埋設型ガス栓は、これまで説明してきた第１乃至第４特徴構成を有する埋設型ガス栓用カバーと同様の作用効果を発揮するものとなる。
【図面の簡単な説明】
【００１７】
【図１】埋設型ガス栓及び埋設型ガス栓用カバーの取付構造を示す分解斜視図
【図２】埋設型ガス栓におけるソケット取外し機構部を分離した状態での斜視図
【図３】埋設型ガス栓及び埋設型ガス栓用カバーの横断平面図
【図４】埋設型ガス栓及び埋設型ガス栓用カバーの裏面側からの斜視図
【図５】埋設型ガス栓及び埋設型ガス栓用カバーにおいて扉部材を閉塞姿勢とした状態を示す横断平面図
【図６】埋設型ガス栓及び埋設型ガス栓用カバーにおいて扉部材を揺動させた状態を示す横断平面図
【図７】埋設型ガス栓及び埋設型ガス栓用カバーにおいて扉部材を開放姿勢とした状態を示す横断平面図
【図８】埋設型ガス栓及び埋設型ガス栓用カバーにおいて扉部材を押込み移動させた状態を示す横断平面図
【発明を実施するための形態】
【００１８】
本発明の埋設型ガス栓及びそれに取り付けられる埋設型ガス栓用カバーの実施形態について図面に基づいて説明する。
埋設型ガス栓１は、図１に示すように、壁Ｗに形成された開口部Ｗ１に臨む状態で、壁Ｗの裏面側に配設のガス管Ｐ（図３、図５〜図８参照）に取り付けられる。
この埋設型ガス栓１は、図２〜図８に示すように、円筒状のプラグ２を備え、図７に仮想線で示すように、そのプラグ２にソケット３を外嵌して押込むことにより、プラグ２に対してソケット３がワンタッチで接続されると共に、ソケット３の先端にある進退筒３ａが進出して接続がロックされ、且つ、埋設型ガス栓１内に設けられた開閉弁（図示せず）が開弁して、ガス管Ｐからのガスがプラグ２を介してソケット３側へ流入するように構成されている。
尚、図３及び図５〜図８は、図１に示すＡ−Ａ断面視の横断平面図である。
【００１９】
埋設型ガス栓１のプラグ２は、図２に示すように、先端側２ｔが小径となる２段筒状に形成され、基端側の大径部の外周には、円環溝２ａが形成され、且つ、円環溝２ａより基端側に大径の段部２ｂが設けられていて、ほぼＣ字状の装着軸４ａとその両端から一体的に延出する一対の延出軸４ｂからなる金属線材製の支持軸４が、その円環溝２ａ内に相対回動自在に嵌入され、支持軸４の両延出軸４ｂにソケット取外し機構としてのソケット取外しレバー５が揺動自在に取り付けられている。
ソケット取外しレバー５は、プラグ２にソケット３が外嵌接続されたソケット接続状態で、プラグ２に対するソケット３の接続を揺動操作により解除するもので、プラグ２の側方へ突出する操作部５ａ、言い換えると、プラグ２から離間する側に切り欠き部を有する操作部５ａ、同じくプラグ２の側方に位置する解除操作部５ｂなどを備え、その操作部５ａと解除操作部５ｂとが連結され、当該連結部近傍が、支持軸４の延出軸４ｂにより支持され、ソケット取外しレバー５が、プラグ２の軸心方向に揺動自在に構成されている。
【００２０】
ソケット取外しレバー５を支持する支持軸４の両延出軸４ｂには、１本のコイルバネ６の両端部が巻き付けられてソケット取外しレバー５の解除操作部５ｂにそれぞれ接当され、そのコイルバネ６の中間部がプラグ２の外周面に接当され、それによって、ソケット取外しレバー５が一定の方向、つまり、ソケット取外しレバー５の操作部５ａがプラグ２の先端側２ｔへ、解除操作部５ｂがプラグ２の基端側へ弾性的に揺動付勢されると共に、ソケット取外しレバー５の解除操作部５ｂがプラグ２の段部２ｂに接当するように構成されている。
すなわち、ソケット取外しレバー５の揺動範囲は、プラグ２の段部２ｂにより規制され、解除操作部５ｂが、段部２ｂよりもプラグ２の先端側２ｔにおいてのみ揺動するように設定され、通常は、コイルバネ６によって、解除操作部５ｂが段部２ｂに接当する位置、つまり、図５、図７に示す姿勢に維持されている。
【００２１】
更に、コイルバネ６の中間部には、外側へ突出するように折曲された折曲部６ａが設けられ、その折曲部６ａがプラグ２の外周面に設けられた複数本の突条２ｃのいずれかに係合することにより、ソケット取外しレバー５の位置が位置決めされるように構成されている。
すなわち、ソケット取外しレバー５は、支持軸４がプラグ２の円環溝２ａ内で回動することにより、プラグ２の周りに回動自在に構成され、そのソケット取外しレバー５の回動に伴ってコイルバネ６も一緒に回動し、コイルバネ６の折曲部６ａが突条２ｃ（本実施例では、９０度の角度を置いて３本の突条２ｃが設けられている）に係合する位置で、ソケット取外しレバー５が位置決めされるように構成されている。
そして、プラグ２にソケット３が外嵌接続されたソケット接続状態で、ソケット取外しレバー５の操作部５ａをプラグ２の基端側へ押込むように押圧操作して揺動させることにより、図８に示すように、解除操作部５ｂがプラグ２の先端側２ｔへ揺動されてソケット３の進退筒３ａをロック解除方向へ押圧し、プラグ２からソケット３を取外して接続を解除するように構成されている。
【００２２】
次に、このような埋設型ガス栓１を壁Ｗの裏面側に取り付けるための構成について説明する。
埋設型ガス栓１は、図１に示すように、取付部材２０を用いて壁Ｗの裏面側に取り付けられる。この取付部材２０は、開口部Ｗ１の開口縁に沿って壁Ｗの表面側に取り付けられる矩形枠状の表側枠体２１、開口部Ｗ１の開口縁に沿って壁Ｗの裏面側に取り付けられる矩形枠状の裏側枠体２２、及び、その裏側枠体２２の裏面側に間隔を開けて取り付けられる取付台２３などで構成されている。
表側枠体２１と裏側枠体２２は、それらの間に壁Ｗを介在させた状態で複数のネジ２４で連結することにより、壁Ｗの表裏に取り付けられ、裏側枠体２２の裏面側には、複数の突片２２ａが壁Ｗの奥側に向けて突設され、これら複数の突片２２ａの先端に、取付台２３が複数のネジ２５により取り付けられる。
そして、埋設型ガス栓１が、裏側枠体２２と取付台２３との間に位置された状態で、複数のネジ２６により取付台２３に取り付けられることにより、壁Ｗの裏面側に埋め込み状で取り付けられる。
【００２３】
更に、図４にも示すように、壁Ｗの開口部Ｗ１を覆う埋設型ガス栓用カバー３０が、表側枠体２１に着脱自在に取り付けられるように構成されている。
この埋設型ガス栓用カバー３０は、取付部材２０に取り付けられた埋設型ガス栓１のプラグ２に接続されるソケット３が挿通される窓部３３が形成されたカバー本体３０ａを備える。
このカバー本体３０ａの裏面側には、取付部材２０に取り付けられた埋設型ガス栓１のプラグ２の先端を臨ませるソケット挿通口３１ａを形成する円筒状部３１が突設され、表面側には、底面にソケット挿通口３１ａが開口し且つその開口部の側方に細長矩形状の扉部材挿通口３２が開口する形態で、矩形凹状の窓部３３が形成されている。
そして、埋設型ガス栓用カバー３０には、ソケット挿通口３１ａの表側を開閉する矩形状の扉部材３８が設けられている。この扉部材３８は、窓部３３に嵌まり込んで当該窓部３３を閉塞する閉塞姿勢（図５参照）と、面方向がプラグ２の軸心に沿う姿勢で基端部３８ｂをカバー本体３０ａの裏側に引退するように扉部材挿通口３２に挿通される状態となって、窓部３３を開放する開放姿勢（図７、図８参照）の間で、回転自在に軸支されている。更に、この扉部材３８は、開放姿勢においてプラグ２の軸心に沿って壁Ｗに向かう押込み方向に移動可能に支持されている。
【００２４】
埋設型ガス栓用カバー３０における扉部材３８の支持構成について、説明を加える。
カバー本体３０ａの裏面側には、図４にも示すように、その裏面側に延びる一対の案内部３４が、円筒状部３１における径方向一端側に偏った位置でその円筒状部３１を挟む形態で設けられている。
閉塞姿勢での扉部材３８における扉部材挿通口３２側端部の両側部には、一対のアーム部３８ａが裏面側に延びる形態で延設され、これら一対のアーム部３８ａが一対の案内部３４の両側部に枢支部３６を介して枢支されている。
そして、扉部材３８の一対の枢支部３６が、一対の案内部３４に案内されてプラグ２の軸心に沿う方向に移動自在に支持され、一対のコイルバネ３７が、一対のアーム部３８ａとカバー本体３０ａの裏面とにわたって伸び状態で接続されてトグル機構が構成されている。
【００２５】
つまり、扉部材３８は、トグル機構によって一対の枢支部３６を軸心とする揺動（図６参照）により、閉塞姿勢と開放姿勢との間で回転自在に軸支されている。
そして、扉部材３８を開放姿勢にすると、その開放姿勢の扉部材３８は、扉部材挿通口３２を通して、プラグ２の軸心に添って壁Ｗに向かう押込み方向に移動自在となり、図７に示すように、扉部材３８を開放姿勢にした状態で、ソケット３をカバー本体３０ａの円筒状部３１を通して押込むと、ソケット３がプラグ２に接続される。
ソケット３を埋設型ガス栓１のプラグ２から取外すときは、図８に示すように、開放姿勢の扉部材３８を一対のコイルバネ３７の付勢力に抗して壁Ｗに向かう押込み方向に押込む。すると、扉部材３８が壁Ｗの奥側に移動して、その扉部材３８によりソケット取外しレバー５の操作部５ａがプラグ２の基端側に押込まれる形態で操作されて、それに伴って、ソケット取外しレバー５の解除操作部５ｂがプラグ２の先端側２ｔに揺動されて、ソケット３の進退筒３ａが後退させられるので、ソケット３がプラグ２から取外される。
【００２６】
上記のような埋設型ガス栓用カバー３０には、閉塞姿勢の扉部材３８の開放姿勢への開放揺動、及び開放姿勢の扉部材３８の壁Ｗに向かう押込み方向への押込み移動の夫々を阻止するロック状態と、当該開放揺動及び当該押込み移動を許容するロック解除状態との間で切替可能なロック機構部Ｘ（図１、図３、図５〜図８参照）が設けられており、その詳細構成について以下に説明を加える。
【００２７】
上記ロック機構部Ｘは、ロック爪４０を有し、そのロック爪４０は、窓部３３に突出するロック姿勢（図５及び図７に示す姿勢）と窓部３３から引退するロック解除姿勢（図６及び図８に示す姿勢）との間で変移自在となるように、カバー本体３０ａの裏面に設けられた支持部４４に収容され支持されている。
また、このロック爪４０をロック姿勢に向けて（即ち窓部３３に向けて）付勢する付勢部としてのコイルバネ４１が、上記ロック爪４０の後端側と支持部４４との間に圧縮状態で介装されている。
更に、カバー本体３０ａの表面側に突出し、カバー本体３０ａに穿設されたガイド溝４３を通じてロック爪４０に固定されたロック解除操作部としてのロック解除レバー４２が設けられている。そして、図６及び図８に示すように、このロック解除レバー４２を窓部３３から離間する方向（図６及び図８において右方向）に変移させるロック解除操作を行うことで、ロック爪４０を上記コイルバネ４１の付勢力に抗してロック解除姿勢に変移することになる。
【００２８】
更に、図６に示すように、閉塞姿勢の扉部材３８の開放姿勢への開放揺動時において、扉部材３８の基端部３８ｂがカバー本体３０ａの裏側に引退するように当該扉部材３８が軸支されており、更には、その扉部材３８の表面には、開放姿勢において上記ロック爪４０よりも若干表面側の位置に、段部３８ｃが形成されている。
【００２９】
そして、図５に示すような閉塞姿勢の扉部材３８の開放姿勢への開放揺動時において、上記ロック解除レバー４２に対するロック解除操作を行わない場合には、上記コイルバネ４１の付勢力により上記ロック爪４０が上記ロック姿勢に変移することで、閉塞姿勢の扉部材３８の基端部３８ｂがロック爪４０の表面側に形成された当接部４０ａに当接することになって、当該扉部材３８の開放揺動が阻止され、ロック状態となる。
一方、同開放揺動時において、図６に示すように上記ロック解除レバー４２に対するロック解除操作を行えば、コイルバネ４１の付勢力に抗して上記ロック爪４０が上記ロック解除姿勢に変移することで、扉部材３８の基端部３８ｂに対するロック爪４０の当接部４０ａの当接が解除されて、扉部材３８の開放揺動が許容され、ロック解除状態となる。
【００３０】
そして、図７に示すような開放姿勢の扉部材３８の押込み移動時において、上記ロック解除レバー４２に対するロック解除操作を行わない場合には、上記コイルバネ４１の付勢力により上記ロック爪４０が上記ロック姿勢に変移することで、開放姿勢の扉部材３８の表面に形成された段部３８ｃがロック爪４０の表面側に形成された当接部４０ａに当接することになって、当該扉部材３８の押込み移動が阻止され、ロック状態となる。
一方、同押込み移動時において、図８に示すように上記ロック解除レバー４２に対するロック解除操作を行えば、コイルバネ４１の付勢力に抗して上記ロック爪４０が上記ロック解除姿勢に変移することで、扉部材３８の段部３８ｃに対するロック爪４０の当接部４０ａの当接が解除されて、扉部材３８の押込み移動が許容され、ロック解除状態となる。
そして、以上のように、閉塞姿勢の扉部材３８の開放姿勢への開放揺動及び開放姿勢の扉部材３８の壁Ｗに向かう押込み方向への押込み移動を阻止することで、ソケット３が取外されたプラグ２が容易に露出されないようになるので、子供などがいたずらや不用意にプラグ２に棒や指を入れるなどの機会をできるだけ排除して、これによるプラグ２の弁の誤操作によるガス漏洩や隙間への指詰めなどの発生を抑制し、安全性を向上することができる。
【００３１】
更に、ロック爪４０の裏面側の縁部には、先端に向けて漸次傾斜する面取り部である解除案内部４０ｂが形成されている。
この解除案内部４０ｂは、開放姿勢の扉部材３８の閉塞姿勢への閉塞揺動（即ち図６に示す状態から図５に示す状態に遷移する揺動）において、扉部材の基端部３８ｂに押込まれて、ロック爪４０をコイルバネ４１の付勢力に抗して窓部３３から離間する方向に移動させ、ロック解除姿勢に変移させる。よって、扉部材３８の閉塞揺動においては、ロック爪４０が邪魔にならずに、当該閉塞揺動をスムーズに行うことができる。
【００３２】
〔その他の実施形態〕
最後に、本発明のその他の実施形態について説明する。なお、以下に説明する各実施形態の構成は、それぞれ単独で適用されるものに限られず、矛盾が生じない限り、他の実施形態の構成と組み合わせて適用することも可能である。
（１）
上記実施形態では、ロック爪４０を開放姿勢の扉部材３８の基端部３０ｂ側に対向する窓部３３の縁部に配置したが、別に、開放姿勢の扉部材３８の側部側に対向する窓部３３の縁部に配置して、扉部材３８の側部に形成した当接部にロック爪４０の当接部を当接する形態で、扉部材３８の開放揺動及び押込み移動を阻止するように構成しても構わない。
【００３３】
（２）
上記実施形態では、ロック爪４０をロック姿勢に向けて付勢するコイルバネ４１を設けたが、別に、このコイルバネ４１等を別の形態の付勢部に改変したり、付勢部を省略して、ロック爪４０のロック姿勢とロック解除姿勢との切替を共に手動で行うように構成しても構わない。
【産業上の利用可能性】
【００３４】
本発明は、ソケットが着脱自在に接続されるプラグと、前記プラグに前記ソケットが接続されたソケット接続状態を解除するために前記プラグの側方に位置するソケット取外し機構部とを備え、壁に形成された開口部に臨む状態で前記壁の裏面側に取り付けられる埋設型ガス栓、及び、その埋設型ガス栓に対して前記開口部を覆う状態で取り付けられる埋設型ガス栓用カバーとして好適に利用可能である。
【符号の説明】
【００３５】
１        ：埋設型ガス栓
２        ：プラグ
３        ：ソケット
５        ：ソケット取外しレバー（ソケット取外し機構部）
３０      ：埋設型ガス栓用カバー
３０ａ    ：カバー本体
３０ｂ    ：基端部
３３      ：窓部
３８      ：扉部材
３８ｂ    ：基端部
３８ｃ    ：段部
４０      ：ロック爪
４０ａ    ：当接部
４０ｂ    ：解除案内部
４１      ：コイルバネ（付勢部）
４２      ：ロック解除レバー（ロック解除操作部）
Ｗ        ：壁
Ｗ１      ：開口部
Ｘ        ：ロック機構部
【図１】
2014066312.tif 000003
【図２】
2014066312.tif 000004
【図３】
2014066312.tif 000005
【図４】
2014066312.tif 000006
【図５】
2014066312.tif 000007
【図６】
2014066312.tif 000008
【図７】
2014066312.tif 000009
【図８】
2014066312.tif 000010